(57)【要約】      （修正有）【課題】窓枠を交換する手順を簡略化し、使用者にかかる金銭的コストと時間的コストを下げることができるとともに、素早く違う窓枠に交換することができる、交換可能なアルミサッシ窓枠構造を提供する。。【解決手段】アルミ押し出し材からなる窓枠３と、セメント内に嵌合される台座１とを組み合わせてなる。窓枠と台座の間に連結フレーム２を設け、連結フレームの一側に少なくとも一つの係合端部を設けて台座に連結し、連結フレームの他側に少なくとも一つの連結端部を設けて窓枠と連結する。以上の構造により、窓枠を連結フレームから素早く取り外して交換できるようになる。【選択図】図２
0003173162.tif 000002
【実用新案登録請求の範囲】
【請求項１】
アルミ押し出し材からなる窓枠と、セメント内に嵌合される台座とを組み合わせてなる交換可能なアルミサッシ窓枠構造であって、
窓枠と台座の間に連結フレームを設け、連結フレームの一側に少なくとも一つの係合端部を設けて台座に連結し、連結フレームの他側に少なくとも一つの連結端部を設けて窓枠と連結し、
以上の構造により、窓枠を連結端部から取り外して交換できるようになることを特徴とする、交換可能なアルミサッシ窓枠構造。
【請求項２】
前記連結フレームの連結端部には、複数の穿孔を備える連結階段状面が設けられ、前記窓枠には、連結階段状面に対応する窓枠階段状面が設けられ、前記窓枠階段状面には、連結階段状面の穿孔に対応する複数の穿孔が設けられ、前記窓枠階段状面の穿孔と連結階段状面の穿孔は相互に螺合されることを特徴とする、請求項１に記載の交換可能なアルミサッシ窓枠構造。
【請求項３】
前記台座の端部にはＹ字凹溝が設けられ、前記連結フレームの係合端部は、内側に折り曲げられて互いに向き合う形状であり、前記Ｙ字凹溝と係合端部は係合されることを特徴とする、請求項１に記載の交換可能なアルミサッシ窓枠構造。
【請求項４】
前記連結フレームはアルミ押し出し材からなることを特徴とする、請求項１に記載の交換可能なアルミサッシ窓枠構造。
【請求項５】
前記台座は、ＡＢＳ樹脂、或いは、金属材質からなることを特徴とする、請求項１に記載の交換可能なアルミサッシ窓枠構造。
【請求項６】
前記台座は、釘、或いは、釘と同等の機能をもつその他の部材で、セメント壁内に打ちつけられて固定されることを特徴とする、請求項１に記載の交換可能なアルミサッシ窓枠構造。
【考案の詳細な説明】
【技術分野】
【０００１】
本考案は交換可能なアルミサッシ窓枠構造に関し、特に素早く窓枠を交換することができるアルミサッシ窓枠構造に関する。
【背景技術】
【０００２】
従来の家で使用される窓枠は、窓辺のセメント内に埋め込まれる。取り付ける時、材料の体積が大きいため、壁面の穴の空間に窓枠を固定した後、セメントで覆わせてから窓片を取り付ける必要がある。従って、窓枠を交換したい時、セメントを取り除かないと新しい窓枠に交換することができない。大規模工事が必要ない窓枠だと、さらに小さい窓枠をその中に嵌め込むため、窓が小さくなり風通しの量が少なくなるとともに、採光能力も小さくなる。このことから分かるように、従来の窓枠は、問題と不十分な点があるため、理想的な設計とはいえず、改良が待たれている。
【考案の概要】
【考案が解決しようとする課題】
【０００３】
そこで、本考案は、窓枠を交換する手順を簡略化し、使用者にかかる金銭的コストと時間的コストを下げることができるとともに、素早く違う窓枠に交換することができる、交換可能なアルミサッシ窓枠構造を提供することを目的とする。
【０００４】
また、本考案は、大規模な工事や家を破壊する必要がなく、コストを下げることができるとともに、施工工程を簡易化することができる、交換可能なアルミサッシ窓枠構造を提供することを目的とする。
【課題を解決するための手段】
【０００５】
上述の目的を達成するために、本考案による交換可能なアルミサッシ窓枠構造は、アルミ押し出し材からなる窓枠と、セメント内に嵌合される台座とを組み合わせてなる。窓枠と台座の間に連結フレームを設け、連結フレームの一側に少なくとも一つの係合端部を設けて台座に連結し、連結フレームの他側に少なくとも一つの連結端部を設けて窓枠と連結する。以上の構造により、窓枠を連結フレームから素早く取り外して交換できるようになる。
【０００６】
好ましくは、連結フレームの連結端部には、複数の穿孔を備える連結階段状面が設けられ、前記窓枠には、連結階段状面に対応する窓枠階段状面が設けられ、前記窓枠階段状面には、連結階段状面の穿孔に対応する複数の穿孔が設けられ、前記窓枠階段状面の穿孔と連結階段状面の穿孔は相互に螺合される。
【０００７】
好ましくは、前記台座の端部にはＹ字凹溝が設けられ、前記連結フレームの係合端部は、内側に折り曲げられて互いに向き合う形状であり、前記Ｙ字凹溝と係合端部は係合される。
【０００８】
好ましくは、前記連結フレームはアルミ押し出し材からなる。
【０００９】
好ましくは、前記台座は、ＡＢＳ樹脂、或いは、金属材質からなる。
【００１０】
好ましくは、前記台座は、釘、或いは、釘と同等の機能をもつその他の部材で、セメント壁内に打ちつけられて固定される。
【図面の簡単な説明】
【００１１】
【図１】従来の技術を示した概略図である。
【図２】本考案の外観を示した斜視図である。
【図３】本考案の組合せを示した斜視図１である。
【図４】本考案の組合せを示した斜視図２である。
【図５】本考案の断面図である。
【図６】本考案を横から見た断面図である。
【図７】本考案を上から見た断面図である。
【考案を実施するための形態】
【００１２】
図１を参照する。図１は、従来の窓枠を壁内に取り付けた状態を上から見た断面図である。窓枠３は、角が折れまがった辺端を  壁４０とセメント４１からなる窓口辺に埋め、その後、セラミックタイル４２を敷設する必要がある。この手順から明らかなように、取り外す時は、逆方向に、セラミックタイル４２、セメント４１を取り除いてから窓枠３を交換しなければならない。
【００１３】
図２から図５を同時に参照する。本考案による交換可能なアルミサッシ窓枠構造１００は、アルミ押し出し材からなる窓枠３と、セメント（図示せず）内に嵌合された台座１とからなる。窓枠３と台座１の間には、アルミ押し出し材からなる連結フレーム２が設けられ、連結フレーム２の一側には、台座１と連結される係合端部２１が設けられ、連結フレーム２の他側は、連結端部２２を介して窓枠３と連結される。以上の構造により、窓枠３は、連結フレーム２によって素早く取り外して交換することができる。
【００１４】
台座１の端部にはＹ字凹溝１１が設けられ、連結フレーム２の係合端部２１は、内側に折り曲げられて互いに向き合う形状であり、それにより、Ｙ字凹溝１１と係合端部２１は相互に係合することができる。
【００１５】
連結フレーム２の連結端部２２には、複数の穿孔２２２を有する連結階段状面２２１が設けられ、窓枠３には連結階段状面２２１に対応する窓枠階段状面３１が設けられ、窓枠階段状面３１には、連結階段状面２２１の穿孔に対応する複数の穿孔３１１が設けられ、相互に螺合される。
【００１６】
図６と図７を参照する。図６と図７は、本考案を横から見た断面図及び上から見た断面図である。台座１は、ＡＢＳ樹脂、或いは金属材質からなり、釘或いは、釘と同等の機能をもつその他の部材で、セメント壁内に打ちつけられて固定される。さらに、台座１に連結フレーム２を取り付けた後、セラミックタイル４２を敷設するとともに、連結階段状面２２１と窓枠階段状面３１を螺合した箇所にシリコン４３を注入する。それにより、窓枠３を交換したい時に、シリコン４３を取り除き、ネジ４４を外すだけで、窓枠を取り外して交換することができる。
【符号の説明】
【００１７】
１００      交換可能なアルミサッシ窓枠構造
１          台座
１１        Ｙ字凹溝
２          連結フレーム
２１        係合端部
２２        連結端部
２２２      穿孔
２２１      連結階段状面
３          窓枠
３１        窓枠階段状面
３１１      穿孔
４０        壁
４１        セメント
４２        セラミックタイル
４３        シリコン
４４        ネジ
【図１】
0003173162.tif 000003
【図２】
0003173162.tif 000004
【図３】
0003173162.tif 000005
【図４】
0003173162.tif 000006
【図５】
0003173162.tif 000007
【図６】
0003173162.tif 000008
【図７】
0003173162.tif 000009